(57)【特許請求の範囲】
【請求項１】
引きレバー（６０４）を有する切断用ナイフ本体（６０２）と、
前記切断用ナイフ本体（６０２）の端部に設けられた切断刃（６１４）と、
前記切断用ナイフ本体（６０２）内で前記切断刃（６１４）を回動自在に支持するピン（７０４）と、
前記切断用ナイフ本体（６０２）内に形成された開口内に配された固定用部材（６０６）と、
前記切断刃（６１４）の両側にそれぞれが配された一対の切断刃保護フランジ（６１０，６１２）とを備え、
前記一対の切断刃保護フランジ（６１０，６１２）のそれぞれが、前記フランジ（６１０，６１２）の表面からの外方突出部（７１２）を有する把持型切断用ナイフ（６００）であって、
さらに、前記ピン（７０４）とフランジ表面からの外方突出部（７１２）との間に配された一対のバネ（７１０）を備え、
前記一対のフランジ（６１０，６１２）が、前記ピン（７０４）と前記一対のバネ（７１０）とによって前記切断用ナイフ本体（６０２）内にて摺動自在に支持されていることを特徴とする把持型切断用ナイフ。
【請求項２】
前記一対のフランジ（６１０，６１２）のそれぞれが、平底部を有する請求項１に記載の把持型切断用ナイフ。
【請求項３】
前記切断用ナイフ本体（６０２）が、土台を有し、
前記切断刃（６１４）と前記一対の切断刃保護フランジ（６１０，６１２）とが、前記土台のうえに配されている請求項１に記載の把持型切断用ナイフ。
【請求項４】
前記土台は、前記切断刃（６１４）と前記切断刃保護フランジ（６１０，６１２）とを前記切断用ナイフ本体（６０２）から外方へ摺動させる細長円形状開口を備える請求項３に記載の把持型切断用ナイフ。
【請求項５】
前記外方突出部（７１２）のそれぞれが、前記一対のバネ（７１０）のそれぞれの第１先端を支持している請求項１〜４のいずれか１項に記載の把持型切断用ナイフ。
【請求項６】
前記一対のバネ（７１０）のそれぞれの第２先端が、前記ピン（７０４）に押し当てられている請求項１〜５のいずれか１項に記載の把持型切断用ナイフ。
【請求項７】
前記切断用ナイフ本体（６０２）が、前記土台へ向いた開口を有する誘導口を有し、
前記一対の切断刃保護フランジ（６１０，６１２）のそれぞれが、前記誘導口内で外方へ延びる誘導ピン（８０６）を有し、
前記切断刃保護フランジ（６１０，６１２）の誘導ピン（８０６）のそれぞれが、前記誘導口内で並進運動する請求項１〜６のいずれか１項に記載の把持型切断用ナイフ。
【請求項８】
さらに、摺動口を有する塞ぎ板を備え、
前記ピン（７０４）の第１先端が、前記摺動口内にて並進摺動運動を行う請求項１〜７のいずれか１項に記載の把持型切断用ナイフ。
【請求項９】
前記ピン（７０４）の第２先端を前記把持ナイフに固定する、クリップ及びワッシャの集合をさらに備える請求項１〜８のいずれか１項に記載の把持型切断用ナイフ。
【請求項１０】
前記切断刃（６１４）の外周が、前記各切断刃保護フランジ（６１０，６１２）の外周よりも小さい請求項１〜９のいずれか１項に記載の把持型切断用ナイフ。
【請求項１１】
前記一対のフランジ（６１０，６１２）のそれぞれの形状は、連続した円形状であり、
該形状は、切断される材料に接触する前記フランジの一部分にある底平坦形状と、切断される材料に接触する前記フランジの一部分と、連続した円形状の部分との間の部分にある垂直平坦形状とを有し、
前記フランジの前記底平坦形状と、前記フランジの前記垂直平坦形状とが、９０°の角度をなす請求項１〜１０のいずれか１項に記載の把持型切断用ナイフ。
【発明の詳細な説明】
【技術分野】
【０００１】
本発明は、把持型切断用ナイフに関し、特に、改善された安全な操作を使用者が行うことができる把持型切断用ナイフに関する。
【背景技術】
【０００２】
従来の把持型切断用ナイフの一公知例が図１及び図２に示されている。従来の把持型切断用ナイフは、把持部分１２を有する細長い切断用本体１１を備える。本体１１の先端には、円形の回転刃１５が備えられている。図１に示されるように、回転刃１５は、切断用本体から突出している。図２に示されるように、回転刃１５は、本体内に格納され、切断ができない。
【０００３】
回転刃１５は、切断用本体１１内で回動自在に支持された揺振部とつながっている。斯かる揺振部の一部は、図２に示すように、把持部分１２から突出し、引きレバー１４としてはたらく。揺振部は、切断用本体１１内に配されたバネ部材によって非切断位置へ押し込まれている。バネによって生じる力に反して引きレバー１４を切断用本体１１内へと把持すると、回転刃１５は、切断用本体１１の前端から突出する。把持する手をゆるめると、回転刃１５は、切断用本体の前端にて、土台１３内に格納される。
【０００４】
図３〜図５は、従来公知の切断用ナイフの他の例を示す斜視図であり、斯かる例は、図１及び図２のナイフに関連する上記記載の全ての構成要素を有することに加えて、押下固定用ボタン３０も有する。
【０００５】
固定用ボタン３０は、円柱状の固定用部材によって構成され得る。固定用ボタンの高さ又は長さは、切断用本体の厚みと、固定用ボタンの上向きの突出厚みとの合計と同じである。固定用ボタン３０が切断用本体２１内に押されると、固定用ボタン３０は、切断用本体２１の裏側から下方へ突出する。図３に示されるように、固定用ボタン３０が上方へ突出されると、回転刃１５が下りないように、揺振部４４の揺振が妨げられる。
【０００６】
下方へ突出するように、固定用ボタン３０が切断用本体内へ押されると、把持部分を把持したとき又は解放したときに、回転刃１５が自由に動く。
【０００７】
従来、切断用ナイフが、２つの本体片と、本体片の間に挟まれた揺振部とを備えることは、知られている。２つの本体片は、切断用本体を構成し、また、従来知られている切断用ナイフの構造においては、揺振部が回転刃１５を支持し、また、揺振部の一方の端部が引きレバー４４としてはたらく。
【０００８】
本体片は、切断用本体２１の構造に対応する構造を有する。本体片は、図５に示すように、前端に、回転刃５５を収容する土台２３０を有する。土台２３０の中央部には、回転刃を滑らかに動かすための細長い円形の開口２３１が形成されている。土台２３０の反対側には、細長い把持部分が配されている。土台２３０と把持部分２１０との間には、切断用本体２１の厚み方向に円柱状の固定用部材６０を保持する円形の開口２２０が形成されている。
【０００９】
図１〜図５に示される切断用ナイフの構造に関連して観察され得るように、刃が下方位置又は引っ込んだ位置にあるか否かに関りなく、刃は、常に剥き出しになっている。従って、切断用ナイフを誤って取り扱った結果、怪我が容易に起こり得る。さらには、操作中において、切断面において滑りやすい材料を切断するために、切断される材料を手で適切な位置に操作者が固定する必要があるところ、操作者の手が刃に触れることを防ぐ表面保護がないことから、操作者の手に対する怪我の危険性は、大きくなる。また、さらには、公知の構造において刃が常に剥き出しになっていることから、刃先は、例えば欠けることによって容易に損傷し得る。
【発明の概要】
【発明が解決しようとする課題】
【００１０】
従って、本発明の課題は、操作者にとって優れた安全性を示すナイフを提供することである。さらには、本発明は、ナイフの構造の複雑さを増加させることなく刃がいつも保護されているナイフを提供することを目的とする。
【課題を解決するための手段】
【００１１】
本発明は、上記課題に対して、請求項１の把持型切断用ナイフ、及び、請求項２〜１１の従属請求項に記載された把持型切断用ナイフに従って、解決策を提供する。
【００１２】
本発明は、引き用レバーを有する把持部を備えた切断用ナイフ本体と、切断用ナイフ本体の一端に設けられた切断刃と、切断用ナイフ本体内で切断刃を回動自在に支持するピンと、切断用ナイフ本体内に形成された開口内に配された固定用部材と、切断刃のそれぞれの側に配された一対の切断刃保護フランジとを備え、各切断刃保護フランジが、フランジの表面からの外方突出部を有する把持型切断用ナイフを提案する。把持型切断用ナイフは、さらに、ピンと、フランジの表面からの外方突出部との間に配された一対のバネとを備え、一対のフランジが、ピンと一対のバネとによって切断用ナイフ本体内にて摺動可能に支持されていることを特徴とする。
【００１３】
本発明によって提示される構造は、両側から常に刃を保護することによって、切断刃を守ることを提供する。そして、刃は、むき出しになっておらず、刃の破損が意図せず起こることはない。
【００１４】
本発明の把持型切断用ナイフは、一対のフランジを備え、各フランジが平底の形状を有する。
【００１５】
本明細書で後に詳細が説明されるように、切断刃保護フランジの特徴的な形状は、どの場合でも、切断刃保護フランジと切断刃との間で衝突し得る障害物と、刃との間に入り込む。仮に、例えば、障害物が操作者の指であれば、操作者の指に刃が接触する前に、切断刃保護フランジの突き出た四角い端部は、まず、操作者の指と接触するであろう。そして、本発明の把持型切断用ナイフは、把持型切断用ナイフの安全な操作を提供する。
【００１６】
本発明は、ピンと、フランジ表面からの外方突出部との間に配された一対のバネを備えた把持型切断用ナイフを提示し、一対のフランジは、ピンと一対のバネとによって、切断用ナイフ本体内にて摺動自在に保持されている。その結果、切断される材料のうえで操作者がナイフと当接するとき、フランジが、同様に、当接する。切断される材料とフランジとが接触すると、バネは、収縮し、そして、操作者によってナイフに与えられる力に対する反発力によって反応する。その結果、ナイフの刃は、刃が露出することなく、切断される材料に接触することとなる。切断される材料の表面にフランジが当接し続けること、また、刃を自由にするには十分であり、上述した程度の操作者の指への保護作用を防止しないほどの力であって、バネによって材料の表面から与えられる力によって、フランジが持ち上げられることがその理由である。
【００１７】
本発明のさらなる利点は、従属請求項によって挙げられた特徴に関連して特定され、また、本発明の具体的な特徴に関連して本明細書においてさらに説明される。
【００１８】
本発明の把持型切断用ナイフの切断用ナイフ本体は、土台を備え、切断刃と一対の切断刃保護フランジとが土台上に配されている。土台は、細長い円形の開口を備え、開口によって切断刃と切断刃保護フランジとが、切断用ナイフ本体から外方へ摺動できる。
【００１９】
本発明の把持型切断用ナイフに備えられたそれぞれの切断刃保護フランジは、フランジ表面からの外方突出部を有し、それぞれの外方突出部は、一対のバネのそれぞれにおける一方の先端を支持している。各バネの他方の先端は、ピンに押し当てられている。
【００２０】
本発明の把持型切断用ナイフの切断用ナイフ本体は、土台に向けて開口する誘導口を有し、それぞれの切断刃保護フランジは、誘導口内にて外方へ延びる誘導ピンを有し、切断刃保護フランジのそれぞれの誘導ピンは、誘導口内で並進運動できる。
【００２１】
本発明の把持型切断用ナイフは、さらに、摺動溝を有する塞ぎ板を備え、ピンの一方の先端が、摺動溝内にて並進摺動運動を行うことができる。本発明の把持型切断用ナイフは、さらに、ピンの他方の先端にて把持ナイフに固定されるクリップ（留め具）及びワッシャ（座金）部品も備える。
【００２２】
切断刃の外周は、各切断刃保護フランジの外周よりも小さく、各フランジの形状は、切断される材料と接触することとなるフランジ近傍の平底部（底平坦部分）と、平底部（底平坦部分）から離れるように延びるフランジの一部の垂直平坦部分とを有する円形状であり、フランジの平底部（底平坦部分）と垂直平坦部分とは、９０°の角度をなす。
【図面の簡単な説明】
【００２３】
【図１】従来の把持型切断用ナイフを示す。
【図２】従来の把持型切断用ナイフを示す。
【図３】公知の切断用ナイフの他の例を示す斜視図である。
【図４】公知の切断用ナイフの他の例を示す斜視図である。
【図５】公知の切断用ナイフの他の例を示す斜視図である。
【図６】本発明の把持型切断用ナイフを示す正面図である。
【図７】本発明の把持型切断用ナイフの断面図である。
【図８】本発明の把持型切断用ナイフの分解図である。
【発明を実施するための形態】
【００２４】
本発明の実施形態及び変形例は、上述したように、添付の図面を参照しつつ説明される。
【００２５】
添付の図面は、本発明の実施形態をさらに理解することを提供するために、挙げられている。図面は、実施形態を示し、また、説明とともに、本発明の本質を説明するために役立つ。他の実施形態、及び、実施形態における多くの所望の効果は、後述される詳細な説明を参照することによって、より十分に理解されるため、容易に認識される。図面の構成要素は、必ずしも互いに計測されたものではない。同様の参照番号は、異なる実施形態における同様の関連部分を指定するために用いられ得る。本明細書に記載された様々な実施形態例の特徴は、他に特に言及されていない限り、互いに容易に組み合わせられ得る。
【００２６】
ここで、図６に関して、図６は、本発明に関する把持型切断用ナイフを示す正面図である。
【００２７】
本発明の把持型切断用ナイフ６００は、図６に示されており、把持部分を有する細長い切断用本体６０２を備え、引きレバー６０４を備える。押圧型固定ボタン６０６は、把持型切断用ナイフに備えられている。細長い切断用本体６０２の前端には、土台（図示せず）を有する領域６０８がある。図６にてさらに把握されるように、把持型切断用ナイフ６００は、土台に配された一対のフランジ６１０、６１２と、切断刃６１４とを有する。フランジ６１０と、切断刃６１４と、フランジ６１２との集合は、ロゴ６１８を示し得る塞ぎ板６１６を介して、把持型切断用ナイフ６００に固定されて（締め付けられて）いる。把持型切断用ナイフ６００は、図６にて、休止位置で示されており、その間、引きレバー６０４は、使用者に把持されておらず、切断刃６１４と、切断刃保護フランジ６１０、６１２とは、非切断位置にあり、押圧型固定ボタン６０６の位置は、固定位置に配されるようになっている。
【００２８】
ここで、図７を参照すると、図７は、本発明の把持型切断用ナイフ６００の断面図である。図７の様子は、例えば、図６のＡＡ例示切断線に沿って得られる。
【００２９】
上述したように、また、図７にて把握されるように、細長い切断用本体６０２の前端には、領域６０８があり、該領域は、土台７０２を形成する埋め込まれた領域を有する。土台７０２は、細長い円形状の開口を有し、開口によって、切断刃６１４と、切断刃保護フランジ６１０、６１２とが、切断用本体から外方へ摺動することができる。
【００３０】
図７からさらに把握されるように、切断刃６１４と、一対の切断刃保護フランジ６１０、６１２とによって形成された集合（部品）は、土台７０２上に配されている。切断刃保護フランジ６１０、６１２のそれぞれは、切断刃６１４の一方側に配され、例えば、第１の切断刃保護フランジ６１２が、土台７０２の表面と切断刃６１４との間にある領域に配され、第２の切断刃保護フランジ６１０が、切断刃６１４と塞ぎ板６１６との間にある領域に配されている。
【００３１】
把持型切断用ナイフ６００には、さらに、ピン７０４が備わっており、ピン７０４は、把持型切断用ナイフ６００にて切断刃６１４を回動自在に支えている。ピン７０４は、切断刃６１４から塞ぎ板６１６へ延びるピンの第１先端と、切断刃６１４から領域６０８の背部（後部）へ延びる第２先端とを有し、領域は、図６に示された本発明の図では観察者に見えない。
【００３２】
ピン７０４は、クリップ７０６とワッシャ７０８とによって、第２先端を介して領域６０８の背部（後部）に固定されている。ピンの第１先端は、後に示されるように、摺動溝を有する塞ぎ板６１６内に誘導されており、ピンの第１先端は、塞ぎ板６１６の溝に沿って摺動できる。
【００３３】
切断刃６１４の両側にそれぞれ配された各切断刃保護フランジ６１０、６１２が、フランジ表面からの外方突出部７１２であって、典型的にはネジ頭によって画設され得る突出部を示すことは、図７による図示によって、さらに表示される。バネ７１０は、各切断刃保護フランジ６１０のうえで各突出部７１２からピン７０４へ延び、バネ７１０は、典型的にはピンに結合し、さらにネジ頭にも結合している。図７に示されているように、前記外方突出部７１２のそれぞれは、各バネ７１０の第１先端を支持し、各バネの第２先端は、前記ピンに当接している。
【００３４】
図８は、本発明の把持型切断用ナイフ６００の分解立体図である。
【００３５】
図８に関連して説明される本発明の図は、図の左側から矢印の方向に図の右側へ向かう範囲にて想定され得る。
【００３６】
図８に提供された表示に従って、本発明の把持型切断用ナイフ６００は、クリップ７０６及びワッシャ７０８を有し、クリップ７０６及びワッシャ７０８は、把持型切断用ナイフ６００の細長い切断用本体６０２の領域６０８に、ピン７０４の第２先端を固定（緊締）している。図面には示されていないが、クリップ及びワッシャの集合（部品）７０６，７０８によって固定（緊締）されているピン７０４の先端は、軸８００に垂直な方向に、上下の並進運動を行うことができる。
【００３７】
細長い切断用本体６０２の前端部は、土台７０２を有する領域６０８に備わっている。土台７０２は、切断刃６１４と切断刃保護フランジ６１０、６１２とを切断用本体から外方へ摺動させるための細長円形状の開口を有する。把持型切断用ナイフ６００の細長い切断用本体６０２の領域６０８を経てピンの先端を突き出させるために、部分的に円形であり細長い形状（図示せず）である通孔８０２が、切断用本体に備わっている。さらに、通孔８０２は、土台７０２本体を経て軸８００の垂直方向にピンが上下に並進運動することを円滑にする。
【００３８】
切断用本体は、土台７０２へ向いた穴８０４を有する誘導口（図示せず）を有する。
【００３９】
図面に示されるフランジ６１２が土台７０２の表面と直接接触して配されており、フランジ６１２は、中央の細長い通孔と、フランジの周囲から外方へ突出する誘導ピンとを有する。フランジの外周は、切断される材料に接触する近傍の底平坦部分と、底平坦部分から延びるフランジの一部にある垂直平坦部分とを有する円形状であり、フランジの底平坦部分と垂直平坦部分とは、９０°の角度を形成する。フランジ６１２は、観察者に向かって延びる２つの部分の間で９０°をなすように形成された部分を有して示されている。
【００４０】
誘導ピン８０６は、バネ７１０の長手方向軸に沿ったフランジ６１２の並進運動を誘導するために、誘導口８０４へ向けてフランジの周囲から延びている。
【００４１】
切断刃６１４は、２つの連続したフランジ間に配され、刃は、円形であり、フランジ６１２、６１０の半径よりもわずかに小さい半径を有する。さらに、円形の刃６１４は、切断刃をピン７０４に押し付ける円形の溝を有する。第２のフランジ６１０は、図８において切断刃６１４に続いて配置され、観察者から離れる方へ延びる２つの部分の間で９０°をなすように形成された部分を有する。両フランジ６１０、６１４は、フランジ表面からの外方突出部であって、典型的にはネジ頭によって画設され得る外方突出部を有する。バネ７１０は、各突出部７１２から、各切断刃保護フランジ６１０、６１４の上のピン７０４へと延びており、バネ７１０は、典型的にはピンに結合し、さらにネジ頭にも結合している。図７に示されているように、前記外方突出部７１２のそれぞれは、各バネ７１０の第１先端を支持し、各バネの第２先端は、前記ピンに押し当てられている。
【００４２】
ピン７０４は、図８にも示されている。図８の表示を観察する当業者であれば、この表示が正確な縮尺でなく、ピンの大きさが図８に正確に示されていないことに気づくであろう。ピン７０４は、より長く、上述したように、クリップ７０６から塞ぎ板６１６まで延びている。塞ぎ板６１６は、摺動溝（図示せず）を有し、ピン７０４の第１先端は、溝のなかで並進摺動運動を行うことができる。
【００４３】
使用される前に、本発明の把持型切断用ナイフ６００は、休止位置で保管され得る。休止位置は、少なくとも引きレバー６０４が、ナイフの握り部分からはみ出し、押圧型固定ボタン６０６によってこの位置に拘束されることを必要とする。この位置では、切断刃−フランジの集合も、土台７０２上で休止位置にあり、この土台７０２は、切断刃６１４と切断刃保護フランジ６１０、６１２とを切断用ナイフ本体から外方へ摺動させるための細長い円形状開口を有する。上記の詳細は、当業者に知られていることから、休止位置又は拘束位置において引きレバー６０４を拘束することに関わる作用機構に関して、さらなる詳細は、本明細書に示されない。バネによって与えられる押圧力によって、フランジは、刃を完全に覆う位置で静止する。上述したように、２つのフランジは、対称でない。
【００４４】
本発明の把持型切断用ナイフ６００は、使用者が握り部分６０２を把持し、押圧型固定ボタン６０６を解除し、引きレバー６０４を握り締めることによって使用され得る。又は、使用者は、押圧型固定ボタン６０６によって、引きレバー６０４を握り部分内に維持する。いずれの場合でも、切断用回転物−フランジの集合は、“非固定位置”へと解除され、そして、休止位置から切断位置へと落ちる（下がる）。材料を切断する操作中には、わずかな押圧力が握り部分へ与えられることによって握り部分が同時に下方へ押圧されつつ、意図する切断線に沿って、切断される材料のうえで、切断用回転物−フランジの集合を動かすために、絞り力が握り部分に与えられる。切断される材料の表面にフランジが接触することになる結果、おそらく、フランジは、弾性のある表面のうえで静止する。下方へ押圧する力によって、フランジと接しているバネは、内向きに圧縮される。圧縮されたバネによって生じる抵抗力と同じか又はそれより大きい、さらなる押圧力を与えることによって、フランジよりも小さい半径を有する刃は、切断される材料と接触することとなる。固定位置から非固定位置へ降りるときに、切断用回転物−フランジの集合は、溝８０４内で降りる誘導ピン８０６によって所定の下降方向に沿って誘導される。仮に、把持型切断用ナイフの前方か、又は、把持型切断用ナイフの後方のいずれかに、切断線に沿って障害物があれば、障害物は、一対のフランジ６１０、６１２のいずれか一方と最初に接触し、障害物に切断刃６１４が接触することが防がれる。仮に、障害物が操作者の指であれば、これは、操作者の不安全なナイフの操作によってしばしば起こるところ、操作者の指は、まずフランジ６１０又は６１２のいずれかの端と接触することから、指は、切断刃６１４の接触から保護される。このように、本発明は、把持型切断用ナイフの安全な操作のために提供される。
【００４５】
上記の他にも、２つの切断刃保護フランジが互いに独立し、主運動の方向に依存して動くことから、一方のフランジは、他方のフランジが刃を解放しつつ、刃を覆い得る。
【００４６】
本発明は、好ましい実施形態によって十分に説明されたが、様々な変更や改良が当業者にとって明らかであることに注意すべきである。従って、そのような変更や改良が本発明の本質から外れない限り、そのような変更や改良は本発明に含まれると解釈されるべきである。
【符号の説明】
【００４７】
６０２：切断用ナイフ本体
６０４：引きレバー
６０６：固定用部材
６０８：細長い切断用本体の領域
６１０：切断刃保護フランジ
６１２：切断刃保護フランジ
６１４：切断刃
６１６：塞ぎ板
６１８：ロゴ
７０２：土台
７０４：ピン
７０６：クリップ（留め具）
７０８：ワッシャ（座金）
７１０：一対のバネ
７１２：フランジ表面からの外方突出部
８００：軸
８０２：通溝
８０４：開口
８０６：誘導ピン。
【図１】
0005789338.tif 000002
【図２】
0005789338.tif 000003
【図３】
0005789338.tif 000004
【図４】
0005789338.tif 000005
【図５】
0005789338.tif 000006
【図６】
0005789338.tif 000007
【図７】
0005789338.tif 000008
【図８】
0005789338.tif 000009